(57)【特許請求の範囲】
【請求項１】
１つのグループ内に含まれる複数の元データを複数の記録先記憶媒体に記録する記録装置であって、
前記複数の記録先記憶媒体の記録に使用する容量を設定する設定手段と、
前記複数の元データを前記設定手段で設定された前記使用する容量の空き容量を減らすように前記複数の記録先媒体に分割する分割リストを作成するリスト作成手段と、
前記リスト作成手段により作成された分割リストに基づいて前記複数の元データを前記複数の記録先記憶媒体に分割して記録を行なう記録実行手段と、
を備え、
前記記録実行手段は、前記複数の元データの分割記録先の情報を含むライブラリ情報を前記記録先記憶媒体に更に記録し、
前記元データは撮影画像であり、
前記ライブラリ情報には、前記複数の記録先媒体に分割して記録される前記複数の撮影画像のうちの前記各記録先媒体に含まれる、複数の撮影画像を代表する画像のサムネイル画像が複数記録され、
前記１つのグループには、撮影日毎のフォルダに分類して複数の元データである複数の撮影画像が記録され、
前記ライブラリに記録される複数のサムネイル画像は、前記複数のフォルダに分類して記録される複数の撮影画像を代表する画像のサムネイル画像である
ことを特徴とする記録装置。
【請求項２】
１つのグループ内に含まれる複数の元データを複数の記録先記憶媒体に記録する記録装置であって、
前記複数の記録先記憶媒体の記録に使用する容量を設定する設定手段と、
前記複数の元データを前記設定手段で設定された前記使用する容量の空き容量を減らすように前記複数の記録先媒体に分割する分割リストを作成するリスト作成手段と、
前記リスト作成手段により作成された分割リストに基づいて前記複数の元データを前記複数の記録先記憶媒体に分割して記録を行なう記録実行手段と、
を備え、
前記記録実行手段は、前記複数の元データの分割記録先の情報を含むライブラリ情報を前記記録先記憶媒体に更に記録し、
前記元データは撮影画像であり、
前記ライブラリ情報には、前記複数の記録先媒体に分割して記録される前記複数の撮影画像のうちの前記各記録先媒体に含まれる、複数の撮影画像を代表する画像のサムネイル画像が複数記録され、
前記１つのグループには、撮影日毎のフォルダに分類して複数の元データである複数の撮影画像が記録され、
前記リスト作成手段は、前記複数の元データを前記フォルダ毎に前記複数の記録先媒体に分割する分割リストを作成する
ことを特徴とする記録装置。
【請求項３】
前記設定手段は、前記複数の記録先記憶媒体の空き容量を検出することにより記録に使用する容量を設定することを特徴とする請求項１又は２記載の記録装置。
【請求項４】
前記設定手段は、ユーザ操作により記録に使用する容量を設定することを特徴とする請求項１又は２記載の記録装置。
【請求項５】
前記記録実行手段は、前記複数の元データ全ての分割記憶先情報を含むライブラリ情報を前記複数の記録先記憶媒体全てに記録することを特徴とする請求項１又は２記載の記録装置。
【請求項６】
前記グループは複数の元データに順番を付けて記憶しており、
前記リスト作成手段は、前記複数の元データの記録順番を入れ替えることで前記分割リストを作成することを特徴とする請求項１又は２記載の記録装置。
【請求項７】
前記複数の記録先記憶媒体中の所定の記録先記憶媒体に前記各元データの記録を行うように前記記録順番に分割リストへ登録すると共に、次の元データを当該リスト登録すると当該記憶媒体容量を超えてしまう場合は、順番を一つ飛ばして次の順番の前記元データを当該記憶媒体へ元データの当該リスト登録を行なうことを試みる記録順変更手段
を備えることを特徴とする請求項６記載の記録装置。
【請求項８】
未登録である全ての前記元データのうち何れの元データであっても当該記憶媒体に記録する登録を行うと当該記憶媒体容量を超えてしまう場合は、別の記憶媒体に切り替えて前記未登録である元データの内一番記録順番が早いものから当該別の記憶媒体に記録するように当該リスト登録を行なう記憶媒体切替手段
を備えることを特徴とする請求項６又は７記載の記録装置。
【請求項９】
前記分割リストを前記記録先記憶媒体に記録することを特徴とする請求項１乃至８のいずれか１つに記載の記録装置。
【請求項１０】
前記複数の記録先記憶媒体に記録する複数の元データを選択する選択手段を更に備えることを特徴とする請求項１又は２記載の記録装置。
【請求項１１】
前記選択手段により選択された元データ及びその合計容量が正しいか否かを確認する確認手段を更に備えることを特徴とする請求項１０記載の記録装置。
【請求項１２】
１つのグループ内に含まれる複数の元データを複数の記録先記憶媒体に記録する記録方法であって、
前記複数の記録先記憶媒体の記録に使用する容量を設定する設定手順と、
前記複数の元データを前記設定手順で設定された前記使用する容量の空き容量を減らすように前記複数の記録先媒体に分割する分割リストを作成するリスト作成手順と、
前記リスト作成手順により作成された分割リストに基づいて前記複数の元データを前記複数の記録先記憶媒体に分割して記録を行なう記録実行手順と、
を有し、
前記記録実行手順は、前記複数の元データの分割記録先の情報を含むライブラリ情報を前記記録先記憶媒体に更に記録し、
前記元データは撮影画像であり、
前記ライブラリ情報には、前記複数の記録先媒体に分割して記録される前記複数の撮影画像のうちの前記各記録先媒体に含まれる、複数の撮影画像を代表する画像のサムネイル画像が複数記録され、
前記１つのグループには、撮影日毎のフォルダに分類して複数の元データである複数の撮影画像が記録され、
前記ライブラリに記録される複数のサムネイル画像は、前記複数のフォルダに分類して記録される複数の撮影画像を代表する画像のサムネイル画像である
ことを特徴とする記録方法。
【請求項１３】
１つのグループ内に含まれる複数の元データを複数の記録先記憶媒体に記録する記録方法であって、
前記複数の記録先記憶媒体の記録に使用する容量を設定する設定手順と、
前記複数の元データを前記設定手順で設定された前記使用する容量の空き容量を減らすように前記複数の記録先媒体に分割する分割リストを作成するリスト作成手順と、
前記リスト作成手順により作成された分割リストに基づいて前記複数の元データを前記複数の記録先記憶媒体に分割して記録を行なう記録実行手順と、
を有し、
前記記録実行手順は、前記複数の元データの分割記録先の情報を含むライブラリ情報を前記記録先記憶媒体に更に記録し、
前記元データは撮影画像であり、
前記ライブラリ情報には、前記複数の記録先媒体に分割して記録される前記複数の撮影画像のうちの前記各記録先媒体に含まれる、複数の撮影画像を代表する画像のサムネイル画像が複数記録され、
前記１つのグループには、撮影日毎のフォルダに分類して複数の元データである複数の撮影画像が記録され、
前記リスト作成手段は、前記複数の元データを前記フォルダ毎に前記複数の記録先媒体に分割する分割リストを作成する
ことを特徴とする記録方法。
【請求項１４】
１つのグループ内に含まれる複数の元データを複数の記録先記憶媒体に記録する記録装置に内蔵されたコンピュータが実行するプログラムであって、
前記コンピュータに、
前記複数の記録先記憶媒体の記録に使用する容量を設定する設定手順、
前記複数の元データを前記設定手順で設定された前記使用する容量の空き容量を減らすように前記複数の記録先媒体に分割する分割リストを作成するリスト作成手順、
前記リスト作成手順により作成された分割リストに基づいて前記複数の元データを前記複数の記録先記憶媒体に分割して記録を行なう記録実行手順、
を実行させ、
前記記録実行手順は、前記複数の元データの分割記録先の情報を含むライブラリ情報を前記記録先記憶媒体に更に記録し、
前記元データは撮影画像であり、
前記ライブラリ情報には、前記複数の記録先媒体に分割して記録される前記複数の撮影画像のうちの前記各記録先媒体に含まれる、複数の撮影画像を代表する画像のサムネイル画像が複数記録され、
前記１つのグループには、撮影日毎のフォルダに分類して複数の元データである複数の撮影画像が記録され、
前記ライブラリに記録される複数のサムネイル画像は、前記複数のフォルダに分類して記録される複数の撮影画像を代表する画像のサムネイル画像である
ことを特徴とするプログラム。
【請求項１５】
１つのグループ内に含まれる複数の元データを複数の記録先記憶媒体に記録する記録装置に内蔵されたコンピュータが実行するプログラムであって、
前記コンピュータに、
前記複数の記録先記憶媒体の記録に使用する容量を設定する設定手順、
前記複数の元データを前記設定手順で設定された前記使用する容量の空き容量を減らすように前記複数の記録先媒体に分割する分割リストを作成するリスト作成手順、
前記リスト作成手順により作成された分割リストに基づいて前記複数の元データを前記複数の記録先記憶媒体に分割して記録を行なう記録実行手順、
を実行させ、
前記記録実行手順は、前記複数の元データの分割記録先の情報を含むライブラリ情報を前記記録先記憶媒体に更に記録し、
前記元データは撮影画像であり、
前記ライブラリ情報には、前記複数の記録先媒体に分割して記録される前記複数の撮影画像のうちの前記各記録先媒体に含まれる、複数の撮影画像を代表する画像のサムネイル画像が複数記録され、
前記１つのグループには、撮影日毎のフォルダに分類して複数の元データである複数の撮影画像が記録され、
前記リスト作成手段は、前記複数の元データを前記フォルダ毎に前記複数の記録先媒体に分割する分割リストを作成する
ことを特徴とするプログラム。
【発明の詳細な説明】
【技術分野】
【０００１】
本発明は、記録先メディアに効率よくデータ保存するための記録装置、記録方法およびプログラムに関する。
【背景技術】
【０００２】
ＤＶＤのバックアップに関しては、ＤＶＤ−ＲＡＭメディアに格納されたバックアップ済データを参照する時間を短縮し、ＤＶＤ−ＲＡＭメディアに格納されたバックアップデータへのアクセス性能を向上させるようにデータを複数のメディアにバックアップを取る等の技術が提案されている（特許文献１）。
【先行技術文献】
【特許文献】
【０００３】
【特許文献１】特開２００２−２３０９４０号公報
【発明の概要】
【発明が解決しようとする課題】
【０００４】
しかしながら、上記した従来技術は、記録先メディアにより効率よくデータを保存することが課題となっていた。
【０００５】
本発明は、上記に鑑みてなされたもので、その目的としては、記録先メディアに効率よくデータを保存することができる記録装置、記録方法およびプログラムを提供することにある。
【課題を解決するための手段】
【０００６】
（１）本発明は、１つのグループ内に含まれる複数の元データを複数の記録先記憶媒体に記録する記録装置であって、前記複数の記録先記憶媒体の記録に使用する容量を設定する設定手段と、前記複数の元データを前記設定手段で設定された前記使用する容量の空き容量を減らすように前記複数の記録先媒体に分割する分割リストを作成するリスト作成手段と、前記リスト作成手段により作成された分割リストに基づいて前記複数の元データを前記複数の記録先記憶媒体に分割して記録を行なう記録実行手段と、を備え、前記記録実行手段は、前記複数の元データの分割記録先の情報を含むライブラリ情報を前記記録先記憶媒体に更に記録し、前記元データは撮影画像であり、前記ライブラリ情報には、前記複数の記録先媒体に分割して記録される前記複数の撮影画像のうちの前記各記録先媒体に含まれる、複数の撮影画像を代表する画像のサムネイル画像が複数記録され、前記１つのグループには、撮影日毎のフォルダに分類して複数の元データである複数の撮影画像が記録され、前記ライブラリに記録される複数のサムネイル画像は、前記複数のフォルダに分類して記録される複数の撮影画像を代表する画像のサムネイル画像であることを特徴とする。
（２）本発明は、１つのグループ内に含まれる複数の元データを複数の記録先記憶媒体に記録する記録装置であって、前記複数の記録先記憶媒体の記録に使用する容量を設定する設定手段と、前記複数の元データを前記設定手段で設定された前記使用する容量の空き容量を減らすように前記複数の記録先媒体に分割する分割リストを作成するリスト作成手段と、前記リスト作成手段により作成された分割リストに基づいて前記複数の元データを前記複数の記録先記憶媒体に分割して記録を行なう記録実行手段と、を備え、前記記録実行手段は、前記複数の元データの分割記録先の情報を含むライブラリ情報を前記記録先記憶媒体に更に記録し、前記元データは撮影画像であり、前記ライブラリ情報には、前記複数の記録先媒体に分割して記録される前記複数の撮影画像のうちの前記各記録先媒体に含まれる、複数の撮影画像を代表する画像のサムネイル画像が複数記録され、前記１つのグループには、撮影日毎のフォルダに分類して複数の元データである複数の撮影画像が記録され、前記リスト作成手段は、前記複数の元データを前記フォルダ毎に前記複数の記録先媒体に分割する分割リストを作成することを特徴とする。
【０００７】
（３）本発明は、前記設定手段は、前記複数の記録先記憶媒体の空き容量を検出することにより記録に使用する容量を設定することを特徴とする。
【０００８】
（４）本発明は、前記設定手段は、ユーザ操作により記録に使用する容量を設定することを特徴とする。
【００１０】
（５）本発明は、前記記録実行手段は、前記複数の元データ全ての分割記憶先情報を含むライブラリ情報を前記複数の記録先記憶媒体全てに記録することを特徴とする。
【００１１】
（６）本発明は、前記グループは複数の元データに順番を付けて記憶しており、前記リ
スト作成手段は、前記複数の元データの記録順番を入れ替えることで前記分割リストを作
成することを特徴とする。
【００１２】
（７）本発明は、前記複数の記録先記憶媒体中の所定の記録先記憶媒体に前記各元データの記録を行うように前記記録順番に分割リストへ登録すると共に、次の元データを当該リスト登録すると当該記憶媒体容量を超えてしまう場合は、順番を一つ飛ばして次の順番の前記元データを当該記憶媒体へ元データの当該リスト登録を行なうことを試みる記録順変更手段を備えることを特徴とする。
【００１３】
（８）本発明は、未登録である全ての前記元データのうち何れの元データであっても当該記憶媒体に記録する登録を行うと当該記憶媒体容量を超えてしまう場合は、別の記憶媒体に切り替えて前記未登録である元データの内一番記録順番が早いものから当該別の記憶媒体に記録するように当該リスト登録を行なう記憶媒体切替手段を備えることを特徴とする。
【００１４】
（９）本発明は、前記分割リストを前記記録先記憶媒体に記録することを特徴とする。
【００１５】
（１０）本発明は、前記複数の記録先記憶媒体に記録する複数の元データを選択する選択手段を更に備えることを特徴とする。
【００１６】
（１１）本発明は、前記選択手段により選択された元データ及びその合計容量が正しいか否かを確認する確認手段を更に備えることを特徴とする。
【００１７】
（１２）本発明は、１つのグループ内に含まれる複数の元データを複数の記録先記憶媒体に記録する記録方法であって、前記複数の記録先記憶媒体の記録に使用する容量を設定する設定手順と、前記複数の元データを前記設定手順で設定された前記使用する容量の空き容量を減らすように前記複数の記録先媒体に分割する分割リストを作成するリスト作成手順と、前記リスト作成手順により作成された分割リストに基づいて前記複数の元データを前記複数の記録先記憶媒体に分割して記録を行なう記録実行手順と、を有し、前記記録実行手順は、前記複数の元データの分割記録先の情報を含むライブラリ情報を前記記録先記憶媒体に更に記録し、前記元データは撮影画像であり、前記ライブラリ情報には、前記複数の記録先媒体に分割して記録される前記複数の撮影画像のうちの前記各記録先媒体に含まれる、複数の撮影画像を代表する画像のサムネイル画像が複数記録され、前記１つのグループには、撮影日毎のフォルダに分類して複数の元データである複数の撮影画像が記録され、前記ライブラリに記録される複数のサムネイル画像は、前記複数のフォルダに分類して記録される複数の撮影画像を代表する画像のサムネイル画像であることを特徴とする。
（１３）本発明は、１つのグループ内に含まれる複数の元データを複数の記録先記憶媒体に記録する記録方法であって、前記複数の記録先記憶媒体の記録に使用する容量を設定する設定手順と、前記複数の元データを前記設定手順で設定された前記使用する容量の空き容量を減らすように前記複数の記録先媒体に分割する分割リストを作成するリスト作成手順と、前記リスト作成手順により作成された分割リストに基づいて前記複数の元データを前記複数の記録先記憶媒体に分割して記録を行なう記録実行手順と、を有し、前記記録実行手順は、前記複数の元データの分割記録先の情報を含むライブラリ情報を前記記録先記憶媒体に更に記録し、前記元データは撮影画像であり、前記ライブラリ情報には、前記複数の記録先媒体に分割して記録される前記複数の撮影画像のうちの前記各記録先媒体に含まれる、複数の撮影画像を代表する画像のサムネイル画像が複数記録され、前記１つのグループには、撮影日毎のフォルダに分類して複数の元データである複数の撮影画像が記録され、前記リスト作成手段は、前記複数の元データを前記フォルダ毎に前記複数の記録先媒体に分割する分割リストを作成することを特徴とする。
【００２０】
（１４）本発明は、１つのグループ内に含まれる複数の元データを複数の記録先記憶媒体に記録する記録装置に内蔵されたコンピュータが実行するプログラムであって、前記コンピュータに、前記複数の記録先記憶媒体の記録に使用する容量を設定する設定手順、前記複数の元データを前記設定手順で設定された前記使用する容量の空き容量を減らすように前記複数の記録先媒体に分割する分割リストを作成するリスト作成手順、前記リスト作成手順により作成された分割リストに基づいて前記複数の元データを前記複数の記録先記憶媒体に分割して記録を行なう記録実行手順、を実行させ、前記記録実行手順は、前記複数の元データの分割記録先の情報を含むライブラリ情報を前記記録先記憶媒体に更に記録し、前記元データは撮影画像であり、前記ライブラリ情報には、前記複数の記録先媒体に分割して記録される前記複数の撮影画像のうちの前記各記録先媒体に含まれる、複数の撮影画像を代表する画像のサムネイル画像が複数記録され、前記１つのグループには、撮影日毎のフォルダに分類して複数の元データである複数の撮影画像が記録され、前記ライブラリに記録される複数のサムネイル画像は、前記複数のフォルダに分類して記録される複数の撮影画像を代表する画像のサムネイル画像であることを特徴とする。
（１５）本発明は、１つのグループ内に含まれる複数の元データを複数の記録先記憶媒体に記録する記録装置に内蔵されたコンピュータが実行するプログラムであって、前記コンピュータに、前記複数の記録先記憶媒体の記録に使用する容量を設定する設定手順、前記複数の元データを前記設定手順で設定された前記使用する容量の空き容量を減らすように前記複数の記録先媒体に分割する分割リストを作成するリスト作成手順、前記リスト作成手順により作成された分割リストに基づいて前記複数の元データを前記複数の記録先記憶媒体に分割して記録を行なう記録実行手順、を実行させ、前記記録実行手順は、前記複数の元データの分割記録先の情報を含むライブラリ情報を前記記録先記憶媒体に更に記録し、前記元データは撮影画像であり、前記ライブラリ情報には、前記複数の記録先媒体に分割して記録される前記複数の撮影画像のうちの前記各記録先媒体に含まれる、複数の撮影画像を代表する画像のサムネイル画像が複数記録され、前記１つのグループには、撮影日毎のフォルダに分類して複数の元データである複数の撮影画像が記録され、前記リスト作成手段は、前記複数の元データを前記フォルダ毎に前記複数の記録先媒体に分割する分割リストを作成することを特徴とする。
【発明の効果】
【００２３】
本発明によれば、記録先メディアにデータを効率よく保存することができる。
【図面の簡単な説明】
【００２４】
【図１】本発明の第１の実施形態に係る画像デジタル記録再生装置を組み込んだパーソナルコンピュータシステムの基本構成を示すブロック図である。
【図２】ＰＣのＨＤＤ１７に記憶されているフォトアルバムのフォルダ構成例を示す図である。
【図３】バックアップ実行後の具体的な一例を示す図である。
【図４】（ａ）はＰＣのＨＤＤ１７に記憶されているフォトアルバムの処理対象の一例を示す図であり、（ｂ）は外部記憶装置１５に設けられているバックアップ先ディスクのフォルダの構成例（ディスク有効設定時）を示す図である。
【図５】本発明の第１の実施形態に係るデジタル記録再生装置の動作説明をするためのフローチャートである。
【図６】本発明の第２の実施形態に係るバックアップ方法を示すフローチャートである。
【図７】本発明の第２の実施形態に係るバックアップ先フォルダの構成例（ディスク順次設定時）を示す図である。
【発明を実施するための形態】
【００２５】
以下、本発明の実施形態について図面を参照して説明する。
＜第１の実施形態＞
【００２６】
図１は、本発明の第１の実施形態に係るバックアッププログラムを搭載したデジタル記録再生装置１１に適用可能なパーソナルコンピュータ１３と外部記憶装置１５を示すブロック図である。パーソナルコンピュータ１３に設けられたＨＤＤ１７には、フォトアルバムのアプリケーションソフトウエアが記憶されている。
【００２７】
図１に示すように、パーソナルコンピュータ１３は、ＨＤＤ１７、ＢＩＯＳ  ＲＯＭ１９、ビデオＩ／Ｏ２１、ビデオメモリ２３、モニタ２５、オーディオＩ／Ｏ２７、スピーカＲ２９Ｒ、スピーカＬ２９Ｌ、メインメモリ３１、制御部３３、キーボードＩ／Ｏ３５、キーボード３７、マウスＩ／Ｏ３９、マウス４１、ＵＳＢ  Ｉ／Ｏ４３、ＤＶＤ録画再生部４５から構成されている。
【００２８】
ＢＩＯＳ  ＲＯＭ１９は、パーソナルコンピュータ１３に内蔵されているディスクドライブ、キーボード、マウス、ＵＳＢ、ビデオカードなどの周辺機器を制御するプログラム群が記憶されているＲＯＭであり、これらの機器に対する基本的な入出力手段をＯＳ（オペレーティングシステム）やアプリケーションソフトに対して提供する。
【００２９】
ビデオＩ／Ｏ２１は、ビデオメモリ２３に記憶されている画像データを読み出して画像信号を生成してモニタ２５に表示する。オーディオＩ／Ｏ２７は、メインメモリ３１に記憶されている音声データを読み出して音声信号に変換してスピーカＲ２９Ｒ，Ｌ２９Ｌから出力する。
【００３０】
メインメモリ３１は、ＨＤＤ１７から転送されたＯＳやアプリケーションソフトウエアを記憶して制御部３３により実行される。キーボードＩ／Ｏ３５は、キーボード３７から入力されるキー情報を取得して制御部３３に割込信号を与える。マウスＩ／Ｏ３９は、マウス４１から入力される位置情報やクリック情報を取得して制御部３３に割込信号を与える。
【００３１】
ＵＳＢ  Ｉ／Ｏ４３は、パーソナルコンピュータ１３と周辺機器となる外部記憶装置１５と結ぶデータ伝送路の規格のひとつである。ＤＶＤ録画再生部４５は、外部記憶装置１５に設けられたＤＶＤディスクとの間でデータ転送を行い録画処理／再生処理する。
【００３２】
ＨＤＤ１７は、ＯＳ、アプリケーションソフトウエアとしてのフォトアルバム、画像データを記憶し、制御部３３を介在して読み出されたＯＳやアプリケーションソフトウエアがメインメモリ３１に転送される。制御部３３は、ＨＤＤ１７からメインメモリ３１にロードされたアプリケーションソフトウエアのプログラムに従って、上述した各部を制御する。ＨＤＤ１７には、ライブラリ情報フォルダと各画像フォルダによって構成されているフォトアルバムが設けられている。
【００３３】
一方、デジタル記録再生装置１１のＨＤＤ１５にアプリケーションソフトウエアとして搭載されているフォトアルバムは、例えば、デジタルカメラから画像データをパーソナルコンピュータ１３に取り込み、フォトアルバムを構成する際、撮影情報として、撮影時の情報（ＡＥによる明るさの情報、ＷＥによる光源情報、ピント位置距離情報）、撮影モードによる情報（ベストショットモードの人物・風景・キャンドル・室内パーティ等）、画像認識による情報、撮影位置（ＧＰＳ等）による情報等を自動的にライブラリ情報に追加する機能を有する。
【００３４】
この機能により、ユーザは、このように自動的に更新されたライブラリ情報を活用して、キーワード検索が可能となる。例えば、年賀状用の画像を探しているときに、「日の出、海、風景・・」と、いくつかのキーワードを設定することで、「水平線から昇る朝日」の画像や、それに近い画像を検索することができる。
【００３５】
外部記憶装置１５は、バックアップ先メディアとして利用可能な複数のディスク＃１〜＃ｎを有し、駆動部１５ａによりそれぞれのディスクを駆動する。なお、ディスク＃１〜＃ｎは、ＤＶＤ、ＣＤ−Ｒ、Ｂ−ｒａｙ方式のＤＶＤ等からなる。
【００３６】
図２に示すように、ＨＤＤ１７に記憶されているフォトアルバムは、ライブラリ情報フォルダと、複数の画像データフォルダ（１）〜（ｍ）から構成されており、この画像データフォルダは、画像（静止画、動画）、各画像の撮影日、各画像の容量等から構成されている。
【００３７】
また、図３に示すように、外部記憶装置１５に設けられたバックアップディスクのライブラリ情報フォルダは、バックアップ名称、オリジナルフォルダ名称、オリジナルフォルダ内ファイル名称、オリジナルフォルダ内ファイル容量合計、バックアップディスク容量合計、前バックアップデータの容量合計等から構成されている。
【００３８】
また、外部記憶装置１５に設けられたバックアップディスク＃１のライブラリ情報フォルダにある各ファイルは、図３に示すように、バックアップファイル名称、バックアップディスクＮｏ、バックアップフォルダ名称、オリジナルファイル名称、オリジナルフォルダ名称、容量、撮影情報（タイトル、撮影場所、撮影日時）、データ構成（静止画枚数、動画枚数等）、撮影日毎に分類した代表画像を縮小したサムネイル画像等から構成されている。
【００３９】
なお、ディスク＃１には、図３に示すように、ライブラリ保存領域を設け、ライブラリ情報を記憶するようにしてもよく、ディスク＃２〜＃ｎのいずれかにこの記憶領域を設けてライブラリ情報を記憶してもよい。また、このライブラリ保存領域内に全画像のサムネイル画像を記憶するようにしてもよい。
【００４０】
また、図３に示すように、外部記憶装置１５に設けられたバックアップディスク＃１のフォルダ１１には、バックアップが終了した時点で例えば、年月日を示すｙｙ／ｍｍ／ｄｄのような重複しない画像フォルダ名が生成され、画像（静止画、動画）、各画像の撮影日、各画像の容量等が記録される。また、フォルダには複数のファイルが記録される。
【００４１】
図４（ａ）は、パーソナルコンピュータ１３に設けられたＨＤＤ１７に記憶されているフォトアルバムのフォルダの構成例を示す図である。なお、図４（ａ）に示す「×」記載箇所は、データの順番を入れ替えるフォルダを強調表示していることを示し、後述する図４（ｂ）も同様にしてデータの順番を入れ替えたフォルダを強調表示していることを示す。
【００４２】
図４（ａ）に示すＨＤＤ１７に記憶されているフォトアルバムは、ＨＤＤ１７に画像が取り込まれると、制御部３３は、年月日を示すｙｙ／ｍｍ／ｄｄのような重複しない画像フォルダ名を生成し、取り込んだ画像をＨＤＤ１７に記憶する機能を備えている。第１の実施形態のデジタル記録再生装置は、ＨＤＤ１７に取り込んで保存しておいた画像を、外部記憶装置１５に生成したフォルダに、フォルダ単位でコピーを行うことを特徴としている。
【００４３】
図４（ｂ）は、外部記憶装置１５に設けられているデジタルフォトアルバムのバックアップ構成例を示す図である。図４（ａ）に示すように、ＨＤＤ１７に記憶されている画像（５）、（６）を外部記憶装置１５にバックアップすることで、図４（ｂ）に示すように、画像（５）がディスク＃２に、画像（６）がディスク＃１に記憶される。
【００４４】
図５は、デジタル記録再生装置の動作を説明するためのフローチャートである。このフローチャートは、制御部３３によってプログラムとしてＨＤＤ１７からメインメモリ３１にロードされており、制御部３３によって順次にこのプログラムに従って各ステップが実行される。
【００４５】
図５に示すように、まずステップＳ１０では、制御部３３は、キーボード３７から入力されるプロジェクト名を一時記憶しておき、制御部３３は、ＨＤＤ１７に設けられたフォトアルバムに保存されている画像データに、プロジェクト名からなるバックアップ名称、オリジナルフォルダ名称、フォルダ内ファイル名称、フォルダ内ファイル容量合計、バックアップディスク容量合計からなるライブラリ情報を作成する。
【００４６】
このとき、例えば、ＨＤＤ１７および外部記憶装置１５にあるバックアップ先フォルダの名称は、ディスク１＿２００６０８２１（外部記憶装置１５のバックアップディスクの残容量が無くなるまでの名称）、ディスク２＿２００６０８２１（次のバックアップディスクの名称）のように年月日が付加されて設定される。
【００４７】
このとき、モニタ２５の画面には、図４（ａ）に示すように、例えば、ＨＤＤ１７に記憶されている画像（１）〜（ｍ）が表示されており、画像（５）、（６）がマウス４１の操作に応じて選択されたこととする。ステップＳ２０では、制御部３３は、バックアップすべきデータをマウス４１の操作により選択する。この結果、一覧リストが作成される。
【００４８】
次いで、ステップＳ３０では、制御部３３は、ステップ２０で選択されたバックアップすべきデータに対応する各フォルダの容量Ｑｈを計算する。
【００４９】
次いで、ステップＳ４０では、制御部３３は、ステップ３０で選択されたバックアップすべきデータに対応する各フォルダの容量Ｑｈを全て加算して全ファイル容量の合計値を計算する。
【００５０】
次に、ステップＳ５０では、制御部３３は、バックアップ先メディア容量を設定する。なお、同時に、計数値ｊ、ｋをそれぞれ１に設定して一覧リストに記憶された１番目のバックアップ先ディスクの１番目のフォルダへの処理を準備する。
【００５１】
また、バックアップ先メディア容量は、ユーザが使用で設定しても良いが、ＰＣが自動で搭載されているメディアを識別して容量検出を行っても良い。
【００５２】
次に、制御部３３は、ステップＳ２０で選択されたバックアップデータの一覧リストと、ステップＳ３０で計算されたバックアップデータに対応する各フォルダの容量合計値と、ステップＳ４０で計算されたバックアップデータの全ファイル合計値をモニタ２５に表示する。そして、このようにして表示された数値や一覧リストが正しければ、すなわち、バックアップデータ選択が正しければＹｅｓの選択を促し、間違っていればＮｏの選択を促す。ステップＳ６０では、制御部３３は、バックアップデータ選択がユーザにとって正しければＹｅｓがマウス４１により選択され、間違っていればＮｏがマウス４１により選択される。バックアップデータ選択がユーザにとって正しければステップＳ７０に進み、間違っていればステップＳ２０に戻る。
【００５３】
次いで、ステップＳ７０では、制御部３５は、メインメモリ３１のワークエリアに記憶されているバックアップ先ディスクの残容量Ｑｇを読み出し、メインメモリ３１に記憶されているフォトアルバムの各フォルダの容量Ｑｈを読み出し、ＱｇとＱｈとの大きさを比較し、すなわち、Ｑｇ＞Ｑｈかどうかを比較する。バックアップディスクの残容量Ｑｇの方が大きい場合（Ｓ７０、ＹＥＳ）に、ステップＳ８０に進み、実行リストをメインメモリ３１上に作成する。
【００５４】
一方、ステップＳ７０において、読み出したバックアップ先ディスクの残容量Ｑｇと読み出したフォトアルバムのフォルダの容量Ｑｈを比較した結果、フォトアルバムのフォルダの容量Ｑｈがバックアップ先ディスクの残容量Ｑｇを越えた場合、すなわち、当該ディスクの残容量が無くなりかけている場合は、ステップＳ１００に進む。
【００５５】
当該ディスクの残容量が無くなりかけている場合は、ステップＳ１００では、制御部３３は、現在の計数値ｊ（１≦ｊ≦ｍ−１）番目の対象フォルダの次のｊ＋１番目のフォルダが有るかどうかを判断する。次のｊ＋１番目の対象フォルダがある場合には、ステップＳ１１０に進む。一方、次のｊ＋１番目の対象フォルダがない場合にはステップＳ１４０に進む。
【００５６】
ステップＳ１１０において、一覧リストに記憶されているフォルダを、実行リストに設けられているバックアップ先ディスクに割り当て、実行リスト上のｊ番目のバックアップ先フォルダを、次のｊ＋１番目のバックアップ先フォルダへと切替え、ステップＳ１２０へ進む。
【００５７】
ステップＳ１２０では、制御部３３は、メインメモリ３１のワークエリアに記憶されているバックアップ先ディスクの残容量Ｑｇを読み出し、メインメモリ３１の一覧リストに記憶されているフォトアルバムのｊ＋１番目のフォルダの容量Ｑｈを読み出し、ＱｇとＱｈとの大きさを比較し、すなわち、Ｑｇ＞Ｑｈかどうかを比較する。バックアップディスクの残容量Ｑｇの方が大きい場合（Ｓ１２０、ＹＥＳ）に、ステップＳ１３０に進む。バックアップディスクの残容量Ｑｇの方が小さい場合（Ｓ１２０、ＮＯ）は、ステップＳ１００へ戻る。
【００５８】
ステップＳ１３０では、制御部３３は、バックアップを行う際に参照するための実行リストをメインメモリ３１上に作成する。
【００５９】
このように、バックアップ先メディアの保存容量が不足する場合（ステップＳ７０、Ｎｏ）は、複数のメディアにバックアップをするようにメインメモリ３１上に実行リストを追加作成すると共に、バックアップを行なう各データの順番を入れ替えて、各バックアップ先メディアの空き容量を減らすように実行リストを作成することで、バックアップ先メディアに効率よくデータを保存するための実行リストを追加作成することができる。
【００６０】
ステップＳ１４０では、ｋ番目のバックアップ先ディスクを次のｋ＋１番目のバックアップ先ディスクに切替え、再びステップＳ７０に戻る。
【００６１】
このように、全ての単位データを所定のバックアップ先メディアにバックアップ可能であるか確認（ステップＳ７０）した後に、未だバックアップ設定ができていない単位データが存在する場合は、バックアップ先メディアを切り替えて（ステップＳ１４０）新たにし、未だバックアップ設定ができていない単位データを順番に実行リストに登録していくことで、バックアップ先メディアに効率よくデータを保存するための実行リストを作成することができる。
【００６２】
上記ステップＳ７０での比較結果として、フォトアルバムのフォルダの容量Ｑｈがバックアップ先ディスクの残容量Ｑｇを越えた場合、ステップＳ８０では、制御部３３は、バックアップを行う際に参照するための実行リストをメインメモリ３１に追加作成する。
【００６３】
この結果、バックアップを行う元データの実行リストとして、フォトアルバムの各フォルダの容量Ｑｈ、各元データ情報（データ名、作成日時、アルバムのタイトル、所有者、作者名、タイトル、表題、カテゴリ、写真の撮影日、大きさ、ファイルバージョン等）が、メインメモリ３１上に生成される。
【００６４】
このとき、例えば、外部記憶装置１５にあるバックアップ先フォルダの名称は、ディスク１＿２００６０８２１（外部記憶装置１５のバックアップディスクの残容量が無くなるまでの名称）、ディスク２＿２００６０８２１（次のバックアップディスクの名称）のように年月日が付加されて設定される。
【００６５】
このように、バックアップする単位データを順番にバックアップするための実行リストに登録して作成（ステップＳ８０）していき、所定の単位データを実行リストに登録する時点でバックアップ先メディアの保存容量が不足することが判明した場合（ステップＳ７０）、単位データの次の単位データを該バックアップ先メディアに保存できるか試みるようにしてもよく、バックアップ先メディアに効率よくデータを保存するための実行リストを作成することができる。
【００６６】
ステップＳ９０では、制御部３３は、一覧リストに記憶されているすべてのフォルダが、外部記憶装置１５に設けられている１番目からｎ番目のバックアップディスクに割り当てられると、実行リストの作成が終了する。
【００６７】
このようにして、作成された一覧リストに従って、検出されたバックアップ先メディアの残容量が不足する場合に、当該データ名を次のバックアップ先メディアに変更し、バックアップを実行するための実行リストを作成するので、バックアップ先ディスクの残容量を減らすように効率のよい実行リストを作成することができる。
【００６８】
次いで、ステップＳ１５０では、制御部３３は、メインメモリ３１上にある実行リストを参照してライブラリ情報をメインメモリ３１上に作成する。このとき、各バックアップ先ディスクの容量合計も計算し、ライブラリ情報に反映させる。
【００６９】
次に、制御部３３は、メインメモリ３１上に作成したライブラリ情報の一覧をモニタ２５上に表示して保存するか確認する。すなわち、バックアップデータを保存するか否かの問い合わせメッセージをモニタ２５に表示する。そして、モニタ２５上には、バックアップデータを保存する場合にはＹｅｓの選択を促すように表示し、保存しない場合にはＮｏの選択を促すように表示する。
【００７０】
ステップＳ１６０では、制御部３３は、バックアップデータを保存する場合に、Ｙｅｓがマウス４１により選択され、保存しない場合には、Ｎｏがマウス４１により選択される。バックアップデータを保存する場合には、ステップＳ１７０に進み、保存しない場合にはステップＳ１８０に戻る。
【００７１】
次いで、ステップＳ１７０では、制御部３３は、実行リスト、ライブラリ情報、実行リストおよびライブラリ情報に関する統括的データからなるバックアップデータをＨＤＤ１７に保存する。このバックアップデータを外部記憶装置１５のディスクに保存してもよい。
【００７２】
このように、外部記憶装置１５の各バックアップ先のディスクに、ステップＳ８０やＳ１３０で作成した実行リストに従って全てのバックアップデータのライブラリ情報を添付することで、バックアップ先のどのディスクからでも、元データを検索することができる。
【００７３】
また、バックアップデータの単位データに撮影画像データを含むようにしてもよく、初めにバックアップするバックアップ先メディアのライブラリ情報にのみ全画像のサムネイル情報を添付することで、記録した全ての画像データからサムネイル情報を検索することができる。
【００７４】
また、該ライブラリ情報には、撮影時の各種撮影情報データを含むようにしてもよく、各種撮影画像データを検索するために撮影時の撮影情報データが使用可能になるので、撮影情報データを用いて各種撮影画像データを容易に検索することができる。
【００７５】
なお、撮影画像データを撮影日毎のフォルダに分類して、実行リストを作成してもよく、この場合、撮影日毎のフォルダ検索に撮影画像データを用いることができる。
【００７６】
また、すべてのバックアップ先ディスクのライブラリ情報に、撮影日毎に分類したフォルダの代表画像をサムネイル画像として記憶してもよく、この場合、代表画像のみを記憶するため、バックアップ先ディスクの容量を節約でき、かつ、画像検索を容易にすることができる。すなわち、全てのサムネイル画像を全てのライブラリ情報に登録すると、ライブラリ情報が大きくなりすぎるので、代表画像のみの登録とすることで、検索のし易さとデータ保存容量の削減との両方を兼ねたバックアップ方法を提供することができる。
【００７７】
次いで、ステップＳ１８０では、制御部３３は、作成したライブラリ情報の一覧を表示して実行するか確認する。すなわち、バックアップを実行するか否かの問い合わせメッセージをモニタ２５に表示する。そして、モニタ２５上には、バックアップを実行する場合にはＹｅｓの選択を促すように表示し、実行しない場合にはＮｏの選択を促すように表示する。ステップＳ１８０では、制御部３３は、バックアップを実行する場合に、Ｙｅｓがマウスにより選択され、実行しない場合には、Ｎｏがマウスにより選択される。バックアップを実行する場合には、ステップＳ１９０に進み、実行しない場合にはステップＳ２０に戻る。
【００７８】
このように、実行リストが完成した後に、実行リストを用いてバックアップを実行して良いか確認することで、バックアップデータの選択に誤りがあった場合でも、誤ったままバックアップが実行されるという不具合を回避して、確実なバックアップを行うことができる。
【００７９】
なお、ライブラリ情報の一覧は、図３に示すように、バックアップ名称、オリジナルフォルダ名称、オリジナルフォルダ内ファイル名称、オリジナルフォルダ内ファイル容量合計、バックアップディスク容量合計、前バックアップデータの容量合計等がモニタ２５に表示される。これに加えて、バックアップファイル名称、バックアップディスクＮｏ、バックアップフォルダ名称、オリジナルファイル名称、オリジナルフォルダ名称、容量、撮影情報（タイトル、撮影場所、撮影日時）、データ構成（静止画枚数、動画枚数等）、撮影日毎に分類した代表画像を縮小したサムネイル画像等をモニタ２５に表示してもよい。
【００８０】
このように、一度作成したバックアップのための実行リストをバックアップ先メディアに記録するようにしてもよく、この場合、ＨＤＤ１７に記憶されているフォトアルバムの容量を節約することができる。
【００８１】
次いで、ステップＳ１９０では、制御部３３は、メインメモリ３１上に作成した実行リストに従って、ＨＤＤ１７に記憶されているフォルダからデータを読み出し、外部記憶装置１５に設けられているバックアップ先ディスクへ該データを書き込む。
【００８２】
次いで、ステップＳ２００では、制御部３３は、メインメモリ３１上に作成した実行リストに従って、バックアップ先ディスクを次のバックアップ先ディスクに切替えるか否かを判断する。この実行リストに従って、バックアップ先ディスクを切替えない場合には、ステップＳ１９０に戻り、書き込み処理を続ける。一方、メインメモリ３１上に作成した実行リストに従って、バックアップ先ディスクを切替える場合には、ステップＳ２１０に進む。
【００８３】
次いで、ステップＳ２１０では、制御部３３は、メインメモリ３１上に作成した実行リストに従って、バックアップの実行が全て終了したか否か判断する。バックアップの実行が全て終了していない場合には、ステップＳ２２０に進む。一方、バックアップの実行が全て終了した場合には全ての処理を終了する。
【００８４】
次いで、ステップＳ２２０では、制御部３３は、メインメモリ３１上に作成した実行リストに従って、バックアップ先ディスクを次のバックアップ先ディスクに切替え、ステップＳ１９０に戻り、上記処理を繰り返す。
【００８５】
＜第１の実施形態の動作例＞ここで、図４（ａ）、図４（ｂ）を参照して、第１の実施形態のデジタル記録再生装置の特徴的なステップの動作例について説明する。
【００８６】
上記ステップＳ２０において、制御部３３は、バックアップすべきデータをマウス４１の操作により選択する。この結果、図４（ａ）に示すように、例えば、ＨＤＤ１７に記憶されている画像（１）〜（１１）がバックアップの対象ファイルとして選択される。
【００８７】
上記ステップＳ７０において、制御部３３は、Ｑｇ＞Ｑｈかどうか判断し、ディスク＃１の容量を満足している画像（１）〜（４）に対しては、ＨＤＤ１７に記憶されている画像（１）〜（４）がディスク＃１を保存対象ディスクとした実行リストがステップＳ８０において作成される。
【００８８】
一方、ディスク＃１の容量を満足していない画像（５）に対しては、ＨＤＤ１７に記憶されている画像（５）がディスク＃２を保存対象ディスクとした実行リストがステップＳ１３０において作成される。
【００８９】
また、ディスク＃１の容量を満足している画像（６）に対しては、ＨＤＤ１７に記憶されている画像（６）がディスク＃１を保存対象ディスクとした実行リストがステップＳ８０において作成される。
【００９０】
さらに、ディスク＃２の容量を満足している画像（７）〜（１１）に対しては、ＨＤＤ１７に記憶されている画像（７）〜（１１）がディスク＃２を保存対象ディスクとした実行リストがステップＳ８０において作成される。
【００９１】
上記ステップＳ１９０において、制御部３３は、メインメモリ３１上に作成した実行リストに従って、ＨＤＤ１７に記憶されているフォルダからデータを読み出し、外部記憶装置１５に設けられているバックアップ先ディスクへ該データを書き込む。
【００９２】
この結果、図４（ｂ）に示すように、画像（１）〜（４）がディスク＃１に書き込まれ、さらに、画像（６）がディスク＃１に書き込まれる。次いで、上記ステップＳ２２０において、書き込み先のディスクが＃１から＃２に切り替えられ、画像（５）がディスク＃２に書き込まれ、画像（７）〜（１１）がディスク＃２に書き込まれる。なお、図４（ｂ）には示していないが画像（１０）がディスク＃３に書き込まれる。
【００９３】
＜第２の実施形態＞
【００９４】
図６は、本発明の第２の実施形態に係るデジタル記録再生装置の動作を説明するためのフローチャートである。なお、図６に示す各ステップは図５に示す各ステップの一部を変更したものであり、同一の符号を付加してその説明を省略することとする。図７は、本発明の第２の実施形態に係るバックアップ先フォルダの構成例（ディスク順次設定時）を示す図である。
【００９５】
図６に示すように、まずステップＳ１０〜Ｓ６０に示す処理を実行する。なお、上記理由によりその説明を省略する。次いで、ステップＳ３１０では、制御部３３は、メインメモリ３１のワークエリアに記憶されているバックアップ先ディスクの残容量Ｑｇを読み出し、メインメモリ３１のワークエリアに記憶されているフォトアルバムの各フォルダ容量Ｑｈを読み出し、Ｑｇ＞Ｑｈかどうかを比較し、バックアップディスクの残容量Ｑｇの方が大きい場合（Ｓ３１０、ＹＥＳ）に、ステップＳ３３０に進み、実行リストをメインメモリ３１上に作成する。
【００９６】
一方、ステップＳ３１０において、ディスクの残容量Ｑｇとフォルダの容量Ｑｈを比較した結果、フォルダの容量Ｑｈが残容量Ｑｇを越えた場合（ディスクの残容量が無くなりかけている場合）は、ステップＳ３２０にて、外部記憶装置１５に設けられているｋ番目のバックアップディスクを次のｋ＋１番目のバックアップディスクに更新し、再びステップＳ３１０に戻る。この処理が、すべての書き込み設定が終了するまで、すなわち、ＨＤＤ１７に記憶されているフォルダが、すべて外部記憶装置１５に設けられているバックアップディスクに割り当てられるまで繰り返される。
【００９７】
ステップＳ３４０では、制御部３３は、一覧リストに記憶されているすべてのフォルダが、外部記憶装置１５に設けられている１番目からｎ番目のバックアップディスクに割り当てられると、実行リストの作成が終了しステップＳ１５０に進む。一方、外部記憶装置１５に設けられている１番目からｎ番目のバックアップディスクへの割り当てがまだ残っている場合にはステップＳ３１０に戻り、上記処理を繰り返す。
【００９８】
次いで、図６に示すように、ステップＳ１５０〜Ｓ２２０に示す処理を実行する。なお、上記理由によりその説明を省略する。
【００９９】
＜第２の実施形態の動作例＞ここで、図７を参照して、第２の実施形態のデジタル記録再生装置の特徴的なステップの動作例について説明する。
【０１００】
いま、バックアップすべきデータをマウス４１の操作により選択された結果、例えば、ＨＤＤ１７に記憶されている画像（１）〜（９）がバックアップの対象ファイルとして選択されたこととする。
【０１０１】
上記ステップＳ３１０において、制御部３３は、Ｑｇ＞Ｑｈかどうか判断し、ディスク＃１の容量を満足している画像（１）〜（４）に対しては、ＨＤＤ１７に記憶されている画像（１）〜（４）がディスク＃１を保存対象ディスクとした実行リストがステップＳ３３０において作成される。
【０１０２】
次いで、ディスク＃１の容量を満足していない画像（５）に対しては、上記ステップＳ３２０において、書き込み先のディスクがディスク＃１からディスク＃２に切り替えられ、ＨＤＤ１７に記憶されている画像（５）がディスク＃２を保存対象ディスクとした実行リストがステップＳ３３０において作成される。
【０１０３】
次いで、ディスク＃２の容量を満足している画像（６）〜（９）に対しては、ＨＤＤ１７に記憶されている画像（６）〜（９）がディスク＃２を保存対象ディスクとした実行リストがステップＳ３３０において作成される。
【０１０４】
上記ステップＳ１９０において、制御部３３は、メインメモリ３１上に作成した実行リストに従って、ＨＤＤ１７に記憶されているフォルダからデータを読み出し、外部記憶装置１５に設けられているバックアップ先ディスクへ該データを書き込む。
【０１０５】
この結果、図７に示すように、画像（１）〜（４）がディスク＃１に書き込まれ、書き込み先のディスクが＃１から＃２に切り替えられ、画像（５）〜（９）がディスク＃２に書き込まれる。
【０１０６】
このように、外部記憶装置１５に設けられているバックアップ先ディスクに、ＨＤＤ１７に記憶されているフォルダが順次割り当てられるので、後のディスク管理がしやすいという利点があり、バックアップ時間の短縮ができるという利点がある。
【０１０７】
なお、本実施形態では、単位データを順番にバックアップしていくと共に、所定の単位データをバックアップする際にバックアップ先メディアのメディア記憶容量が不足することが判明した場合、次のバックアップ先メディアに保存できるか試みてバックアップの可否を確認することで、バックアップ先メディアに効率よくデータを保存することができる。さらに、本発明はこのような場合に限定することなく、単位データの次の単位データを基のバックアップ先メディアに保存できるか試みてバックアップの可否を確認することで、バックアップ先メディアに効率よくデータを保存するようにしてもよい。
【０１０８】
また、複数の元データを複数のバックアップ先メディアに記録する際に、あるバックアップ先メディアに各元データのバックアップを行なうように順番にバックアップすると共に、次の元データを当該リスト登録すると当該メディア容量を超えてしまう場合は、この元データの順番を入れ替えて、当該メディアへ元データのバックアップを行なうようにしてもよい。
【０１０９】
さらに、未登録である全ての元データのうち何れの元データであっても当該メディアにバックアップすると当該メディア容量を超えてしまう場合は、別のメディアを切り替えて未登録である元データの内一番順番が早いものから当該別のメディアに記録することで、バックアップ先メディアに効率よくデータを保存することができる。
本発明は、前述した実施形態に限定されるものではなく、実施段階ではその要旨を逸脱しない範囲で種々に変形することが可能である。また、前述した実施形態で実行される機能は可能な限り適宜組合せて実施しても良い。前述した実施形態には種々の段階の発明が含まれており、開示される複数の構成要件における適宜の組合せにより種々の発明が抽出され得る。例えば、実施形態に示される全構成要件から幾つかの構成要件が削除されても、効果が得られるので有れば、この構成要件が削除された構成が発明として抽出され得る。
【０１１０】
また、上記実施例においてはバックアップに関して記載したが、ファイルの移動に関するものであっても構わない。またファイルの移動とは、ファイルの複写をして移動元のファイルを削除することである。またここでは記録がバックアップと移動の上位概念であることは言うまでもない。
【符号の説明】
【０１１１】
１３・・・パーソナルコンピュータ、１５・・・外部記憶装置、１７・・・ＨＤＤ、１９・・・ＢＩＯＳ  ＲＯＭ、２１・・・ビデオＩ／Ｏ、２３・・・ビデオメモリ、２５・・・モニタ、３１・・・メインメモリ、３３・・・制御部、３５・・・キーボードＩ／Ｏ、３７・・・キーボード、３９・・・マウスＩ／Ｏ、４１・・・マウス、４５・・・ＤＶＤ録画再生部
【図１】
0005605393.tif 000002
【図２】
0005605393.tif 000003
【図３】
0005605393.tif 000004
【図４】
0005605393.tif 000005
【図５】
0005605393.tif 000006
【図６】
0005605393.tif 000007
【図７】
0005605393.tif 000008